(57)【要約】      （修正有）【課題】電気接触性能を改善することができる端子を提供する。【解決手段】１対の弾性アーム１１０，１２０と、１対の弾性アームの各々の一端に接続されたコンタクト部分１５０とを含み、１対の弾性アームは、端子の長手方向に延びる軸周りで所定の角度だけ捻られており、その結果、端子の１対の弾性アームおよびコンタクト部分は、長手方向における接触圧力がコンタクト部分に加えられたとき、複数のアームからなる１対の弾性アームが捻られる捻れ方向に軸周りでさらに回転可能である端子であって、回路ボードと垂直に接触し、回路ボードの電気コンタクト部分を効果的に擦る端子。【選択図】図２
2018085335.tif 000002
【特許請求の範囲】
【請求項１】
１対の弾性アーム（１１０、１２０）と、
前記１対の弾性アーム（１１０、１２０）の各々の一端に接続されたコンタクト部分（１５０）と、
を含む端子（１００）であって、
前記１対の弾性アーム（１１０、１２０）は、前記端子（１００）の長手方向（Ｚ）に延びる軸周りで所定の角度だけ捻られており、その結果、前記端子（１００）の前記１対の弾性アーム（１１０、１２０）および前記コンタクト部分（１５０）は、前記長手方向（Ｚ）における接触圧力（Ｆ）が前記コンタクト部分（１５０）に加えられたとき前記アーム（１１０、１２０）からなる前記１対の弾性アームが捻られる捻れ方向（Ｒ）に前記軸周りでさらに回転可能である、
端子（１００）。
【請求項２】
制限部分（１４０）をさらに含み、
前記制限部分（１４０）は、その一方の側において前記１対の弾性アーム（１１０、１２０）の各々の前記一端に接続され、前記コンタクト部分（１５０）は、前記１対の弾性アーム（１１０、１２０）とは反対側の前記制限部分（１４０）の他方の側に接続される、
請求項１に記載の端子。
【請求項３】
前記端子（１００）の前記制限部分（１４０）および前記コンタクト部分（１５０）は、前記長手方向（Ｚ）の前記接触圧力（Ｆ）が前記コンタクト部分（１５０）に加えられたとき前記１対の弾性アーム（１１０、１２０）と一緒に前記軸周りで回転する、
請求項２に記載の端子。
【請求項４】
固定部分（１３０）をさらに含み、
前記固定部分（１３０）は、その一方の側において前記１対の弾性アーム（１１０、１２０）の各々の他端に接続される、
請求項１に記載の端子。
【請求項５】
溶接部分（１７０）をさらに含み、
前記溶接部分（１７０）は、前記１対の弾性アーム（１１０、１２０）とは反対側の前記固定部分（１３０）の他方の側に接続されている、
請求項４に記載の端子。
【請求項６】
前記溶接部分（１７０）は、接続アーム（１６０）を介して前記固定部分（１３０）に接続される、
請求項５に記載の端子。
【請求項７】
前記１対の弾性アーム（１１０、１２０）は、互いに離間している、
請求項１に記載の端子。
【請求項８】
本体（２００）と、
前記本体（２００）内に保持された請求項１に記載の少なくとも１つの端子（１００）と、
を含むコネクタ。
【請求項９】
前記本体（２００）には、前記端子（１００）の前記１対の弾性アーム（１１０、１２０）が受け取られる受容室（２１０）が形成され、
前記端子（１００）の前記１対の弾性アーム（１１０、１２０）は、前記端子（１００）の前記長手方向（Ｚ）における前記接触圧力（Ｆ）が前記端子（１００）の前記コンタクト部分（１５０）に加えられたとき前記受容室（２１０）において前記軸周りで捻られる、
請求項８に記載のコネクタ。
【請求項１０】
前記端子（１００）は制限部分（１４０）をさらに含み、
前記制限部分（１４０）は、その一方の側において前記１対の弾性アーム（１１０、１２０）の各々の前記一端に接続され、
前記コンタクト部分（１５０）は、前記１対の弾性アーム（１１０、１２０）とは反対側の前記制限部分（１４０）の他方の側に接続される、
請求項９に記載のコネクタ。
【請求項１１】
前記本体（２００）には、その上部に制限孔（２１１）がさらに形成され、
前記端子（１００）の前記制限部分（１４０）は前記制限孔（２１１）に受け取られ、前記端子（１００）の前記コンタクト部分（１５０）は前記制限孔（２１１）を通って前記本体（２００）の外側に突き出し、
前記制限孔（２１１）は、前記制限部分（１４０）の回転角と、前記制限部分（１４０）に接続された前記コンタクト部分（１５０）の回転角と、前記１対の弾性アーム（１１０、１２０）の捻れ角とを制限するように構成され、その結果、前記端子（１００）の前記コンタクト部分（１５０）は所定の角度範囲内で回転可能である、
請求項１０に記載のコネクタ。
【請求項１２】
前記端子（１００）の前記コンタクト部分（１５０）は、０度より大きく９０度より小さい角度範囲内で回転可能である、
請求項１１に記載のコネクタ。
【請求項１３】
前記制限孔（２１１）は、断面が蝶結び形状である、
請求項１１に記載のコネクタ。
【請求項１４】
前記制限孔（２１１）は、前記制限部分（１４０）の一方の側に第１の側壁（２１１ａ）および第２の側壁（２１１ｂ）を有し、かつ、前記制限部分（１４０）の他方の側に第３の側壁（２１１ｃ）および第４の側壁（２１１ｄ）を有し、
前記第１の側壁（２１１ａ）および前記第４の側壁（２１１ｄ）は、対角線状に互いに反対側にあり、前記制限部分（１４０）を第１の角度位置に制限するように構成され、
前記第２の側壁（２１１ｂ）および前記第３の側壁（２１１ｃ）は、対角線状に互いに反対側にあり、前記制限部分（１４０）を第２の角度位置に制限するように構成され、その結果、前記制限部分（１４０）は、前記第１の角度位置と前記第２の角度位置との間で回転可能である、
請求項１３に記載のコネクタ。
【請求項１５】
前記第１の側壁（２１１ａ）は前記第２の側壁（２１１ｂ）に接続され、前記第３の側壁（２１１ｃ）は前記第４の側壁（２１１ｄ）に接続され、
前記第１の側壁（２１１ａ）と前記第２の側壁（２１１ｂ）との間に形成される角度（β）は、前記第３の側壁（２１１ｃ）と前記第４の側壁（２１１ｄ）との間に形成される角度と等しい、
請求項１４に記載のコネクタ。
【請求項１６】
前記角度（β）は、９０度より大きく１８０度より小さい、
請求項１５に記載のコネクタ。
【請求項１７】
前記端子（１００）は固定部分（１３０）をさらに含み、前記固定部分（１３０）は、その一方の側において前記１対の弾性アーム（１１０、１２０）の各々の他端に接続される、
請求項１１に記載のコネクタ。
【請求項１８】
前記端子（１００）の前記固定部分（１３０）は、前記本体（２００）内に固定される、
請求項１７に記載のコネクタ。
【請求項１９】
前記端子（１００）は溶接部分（１７０）をさらに含み、
前記溶接部分（１７０）は、前記１対の弾性アーム（１１０、１２０）とは反対側の前記固定部分（１３０）の他方の側に接続されている、
請求項１７に記載のコネクタ。
【請求項２０】
前記端子（１００）の前記溶接部分（１７０）は、前記本体（２００）の底部から露出される、
請求項１９に記載のコネクタ。
【発明の詳細な説明】
【技術分野】
【０００１】
関連出願の相互参照
本出願は、２０１６年１１月２４日に中国国家知識産権局に出願された中国特許出願第ＣＮ２０１６１１０５０１３４．Ｘ号の利益を主張し、その開示全体が参照により本明細書に組み込まれる。
【０００２】
本開示は、端子、および端子を含むコネクタに関する。
【背景技術】
【０００３】
ＣＰＵ用の既存の弾性端子は、一般に、片持ち梁構造で設計され、２つの弾性端子間の間隔は比較的大きく、弾性端子は所定のパターンで配置しなければならず、そのため、弾性端子用のはんだボールを任意に配置することができない。
【０００４】
弾性端子間の間隔を削減し、弾性端子の配置レイアウトの柔軟性を改善するために、先行技術ではポゴピン弾性端子が提案されている。これらのポゴピンタイプ弾性端子は、回路ボードに垂直に接触させることができる。したがって、ポゴピン弾性端子間の間隔を非常に小さくすることができ、ポゴピンタイプ弾性端子を所定のパターンに従って配置する必要がなく、それによって、弾性端子のレイアウトの柔軟性が改善される。
【０００５】
しかしながら、既存のポゴピンタイプ弾性端子は回路ボードに垂直な方向にだけ移動するように構築される。したがって、回路ボードのゴールドフィンガなどの電気コンタクト部分を効果的に擦ることができず、その結果、ポゴピン弾性端子と、回路ボードのゴールドフィンガとの間の電気接触性能が低下する。
【０００６】
加えて、既存のポゴピンタイプ弾性端子は、一般に、スリーブと、スリーブに受け取られるばねと、スリーブに装着されるプッシュロッドとを含み、ばねがプッシュロッドを押しつける。したがって、既存のポゴピンタイプ弾性端子は、構造が非常に複雑であり、製造が難しく、コストが比較的高い。
【発明の概要】
【発明が解決しようとする課題】
【０００７】
本開示の目的は、先行技術に存在する上述の課題および欠陥の少なくとも１つの態様を克服することを意図する。
【課題を解決するための手段】
【０００８】
本開示の少なくとも１つの実施形態は、回路ボードと垂直に接触し、回路ボードの電気コンタクト部分を効果的に擦り、それによって、端子と回路ボードとの間の電気接触性能を改善することができる端子を提供する。
【０００９】
本開示の１つの態様によれば、１対の弾性アームと、１対の弾性アームの各々の一端に接続されたコンタクト部分とを含む端子が提供される。１対の弾性アームは、端子の長手方向に延びる軸周りで所定の角度だけ捻られている。その結果、端子の１対の弾性アームおよびコンタクト部分は、長手方向の接触圧力がコンタクト部分に加えられたとき複数のアームからなる１対の弾性アームが捻られる捻れ方向に軸周りでさらに回転可能である。
【００１０】
本開示の例示的な実施形態によれば、端子は制限部分（limit portion）をさらに含む。制限部分は、その一方の側において１対の弾性アームの各々の一端に接続される。コンタクト部分は、１対の弾性アームとは反対側の制限部分の他方の側に接続される。
【００１１】
本開示の別の例示的な実施形態によれば、端子の制限部分およびコンタクト部分は、長手方向（Ｚ）の接触圧力がコンタクト部分に加えられたとき１対の弾性アームと一緒に軸周りで回転する。
【００１２】
本開示のさらなる別の例示的な実施形態によれば、端子は固定部分をさらに含み、固定部分は、その一方の側において１対の弾性アームの各々の他端に接続される。
【００１３】
本開示のさらなる別の例示的な実施形態によれば、端子は、１対の弾性アームとは反対側の固定部分の他方の側に接続された溶接部分をさらに含む。
【００１４】
本開示のさらなる別の例示的な実施形態によれば、溶接部分は、接続アームを介して固定部分に接続される。
【００１５】
本開示のさらなる別の例示的な実施形態によれば、１対の弾性アームは、互いに離間している。
【００１６】
本開示の別の態様によれば、本体と、本体内に保持された上述のような少なくとも１つの端子とを含むコネクタが提供される。
【００１７】
本開示の例示的な実施形態によれば、本体には、端子の１対の弾性アームが受け取られる受容室が形成される。端子の１対の弾性アームは、端子の長手方向の接触圧力が端子のコンタクト部分に加えられたとき受容室において軸周りで捻られる。
【００１８】
本開示の別の例示的な実施形態によれば、端子は制限部分をさらに含み、制限部分は、その一方の側において１対の弾性アームの各々の一端に接続される。コンタクト部分は、１対の弾性アームとは反対側の制限部分の他方の側に接続される。
【００１９】
本開示のさらなる別の例示的な実施形態によれば、本体には、その上部部分に制限孔（limit hole）がさらに形成される。端子の制限部分は制限孔に受け取られ、端子のコンタクト部分は制限孔を通って本体の外側に突き出る。制限孔は、制限部分および制限部分に接続されたコンタクト部分の回転角と、１対の弾性アームの捻れ角とを制限するように構成される。その結果、端子のコンタクト部分は所定の角度範囲内で回転可能である。
【００２０】
本開示のさらなる別の例示的な実施形態によれば、端子のコンタクト部分は、０度より大きく９０度より小さい角度範囲内で回転可能である。
【００２１】
本開示のさらなる別の例示的な実施形態によれば、制限孔は、断面が蝶結び形状(bowknot shape）を有する。
【００２２】
本開示のさらなる別の例示的な実施形態によれば、制限孔は、制限部分の一方の側に第１の側壁および第２の側壁を、および制限部分の他方の側に第３の側壁および第４の側壁を有する。第１の側壁および第４の側壁は、対角線状に互いに反対側にあり、制限部分を第１の角度位置に制限するように構成される。第２の側壁および第３の側壁は、対角線状に互いに反対側にあり、制限部分を第２の角度位置に制限するように構成される。その結果、制限部分は、第１の角度位置と第２の角度位置との間で回転可能である。
【００２３】
本開示のさらなる別の例示的な実施形態によれば、第１の側壁は第２の側壁に接続され、第３の側壁は第４の側壁に接続される。第１の側壁と第２の側壁との間に形成される角度は、第３の側壁と第４の側壁との間に形成される角度と等しい。
【００２４】
本開示のさらなる別の例示的な実施形態によれば、その角度は、９０度より大きく１８０度より小さく設定される。
【００２５】
本開示のさらなる別の例示的な実施形態によれば、端子は固定部分をさらに含む。、固定部分は、その一方の側において１対の弾性アームの各々の他端に接続される。
【００２６】
本開示のさらなる別の例示的な実施形態によれば、端子の固定部分は本体内に固定される。
【００２７】
本開示のさらなる別の例示的な実施形態によれば、端子は、１対の弾性アームとは反対側の固定部分の他方の側に接続された溶接部分をさらに含む。
【００２８】
本開示のさらなる別の例示的な実施形態によれば、端子の溶接部分は本体の底部から露出される。
【００２９】
本開示の様々な実施形態では、端子の１対の弾性アームは、垂直軸周りで所定の角度だけ捻られたトーションタイプ弾性アームである。したがって、垂直軸の方向の接触圧力Ｆがコンタクト部分に加えられたとき、端子の１対の弾性アームおよびコンタクト部分はこの垂直軸周りで回転可能である。したがって、本開示の端子は、回路ボードと垂直に接触し、回路ボードの電気コンタクト部分を効果的に擦り、それによって、端子と回路ボードとの間の電気接触性能を改善することができる。
【００３０】
本開示の他の目的および利点は、添付図面と共に本開示の以下の記載から明らかになり、本開示の包括的な理解を与えることができる。
【００３１】
本開示の上述のおよび他の特徴は、添付図面を参照して本開示の例示的な実施形態を詳細に記載することによってより明らかになるであろう。
【図面の簡単な説明】
【００３２】
【図１】本開示の例示的な実施形態による端子の概略斜視図である。
【図２】図１に示した端子のコンタクト部分に接触圧力を加えたときの軸のまわりの端子の回転の概略図である。
【図３】本開示の例示的な実施形態によるコネクタの概略斜視図である。
【図４】コネクタの本体の中の端子を露出させるためにコネクタの本体が部分的に除去されている図３に示したコネクタを示す図である。
【図５】図３に示したコネクタの制限孔および端子を示す上面図であり、端子の制限部分およびコンタクト部分は第１の角度位置にある。
【図６】図３に示したコネクタの制限孔および端子を示す上面図であり、制限部分およびコンタクト部分は、第１の角度位置から第２の角度位置まで軸周りで回転可能である。
【図７】本開示の別の例示的な実施形態による端子の概略斜視図である。
【発明を実施するための形態】
【００３３】
本開示の技術的解決策について、添付図面と共に以下の実施形態を参照して以下にさらに詳細に述べる。本明細書において、同じまたは同様の参照番号は、同じまたは同様の部分を示す。以下、添付図面を参照する本開示の実施形態の記述は、本開示の一般的な発明概念について説明するものであり、本開示への限定として解釈されるべきでない。
【００３４】
加えて、以下の詳細な記載では、説明のために、非常に多くの特定の詳細が、開示する実施形態の完全な理解を提供するために記載される。しかしながら、１つまたは複数の実施形態は、さらに、これらの特定の詳細なしに実施できることが明らかであろう。他の場合には、よく知られている構造およびデバイスは、図面を簡単にするために概略的に示される。
【００３５】
本開示の一般的な技術的概念によれば、１対の弾性アームと、それぞれ１対の弾性アームの各々の一端に接続されたコンタクト部分とを含む端子が提供される。１対の弾性アームは、端子の長手方向に延びる軸周りで所定の角度だけ捻られており、その結果、端子の１対の弾性アームおよびコンタクト部分は、長手方向の接触圧力がコンタクト部分に加えられたとき複数のアームからなる１対の弾性アームがさらに捻られる捻れ方向に軸周りで回転可能である。
【００３６】
図１は、本開示の例示的な実施形態による端子１００の概略斜視図を示す。図２は、接触圧力Ｆが図１に示した端子１００のコンタクト部分１５０に加えられたときの軸のまわりの端子１００の回転の概略図を示す。
【００３７】
図１に示すように、図示の実施形態では、端子は、主として、１対の弾性アーム１１０、１２０と、１対の弾性アーム１１０、１２０の各々の上端部に接続されたコンタクト部分１５０とを含む。
【００３８】
図１に示すように、図示の実施形態では、１対の弾性アーム１１０、１２０は、端子１００の長手方向Ｚに延びる軸周りで所定の角度だけ捻られたトーションタイプ弾性アームとして構築される。したがって、図２に示すように、長手方向Ｚの接触圧力Ｆがコンタクト部分１５０に加えられたとき、端子１００の１対の弾性アーム１１０、１２０およびコンタクト部分１５０は、弾性アーム１１０、１２０からなる１対のアームが捻られる捻れ方向Ｒに軸周りでさらに捻られる。
【００３９】
したがって、図示の端子１００は、回路ボードと直接接触することができ、回路ボードに設けられたゴールドフィンガなどの電気コンタクト部分を効果的に擦ることができ、それによって、端子と回路ボードとの間の電気接触性能が改善される。
【００４０】
図１および図２に示したように、図示の実施形態では、端子１００は制限部分１４０をさらに含む。制限部分１４０は、その一方の側において１対の弾性アーム１１０、１２０の各々の一端に接続される。コンタクト部分１５０は、１対の弾性アーム１１０、１２０とは反対側の制限部分１４０の他方の側に接続される。
【００４１】
図１および図２に示すように、図示の実施形態では、端子１００の制限部分１４０およびコンタクト部分１５０は、長手方向Ｚの接触圧力Ｆがコンタクト部分１５０に加えられたとき１対の弾性アーム１１０、１２０と一緒に軸周りで回転する。
【００４２】
図１および図２に示すように、図示の実施形態では、端子１００は固定部分１３０をさらに含む。固定部分１３０は、その一方の側において１対の弾性アーム１１０、１２０の各々の他端に接続される。
【００４３】
図１および図２に示すように、図示の実施形態では、端子１００は、１対の弾性アーム１１０、１２０とは反対側の固定部分１３０の他方の側に接続された溶接部分１７０をさらに含む。
【００４４】
図１および図２に示すように、図示の実施形態では、溶接部分１７０は、接続アーム１６０を介して固定部分１３０に接続される。１対の弾性アーム１１０、１２０は、互いに離間している。
【００４５】
図３は、本開示の例示的な実施形態によるコネクタの概略図を示す。図４は、コネクタの本体２００がその中の端子１００を露出させるために部分的に除去されている図３に示したコネクタを示す。
【００４６】
図３および図４に示すように、図示の実施形態では、コネクタは、主として、絶縁材料で製作された本体２００と、本体２００に保持された少なくとも１つの端子１００とを含む。
【００４７】
本開示の１つの例示的な実施形態では、コネクタ内の端子１００は、図１および図２に示した端子を含むことができる。
【００４８】
図３および図４に示すように、図示の実施形態では、本体２００には、端子１００の１対の弾性アーム１１０、１２０が受け取られる受容室２１０が形成される。したがって、図２を参照すると、端子１００の１対の弾性アーム１１０、１２０は、端子１００の長手方向Ｚの接触圧力Ｆが端子１００のコンタクト部分１５０に加えられたとき受容室２１０において軸周りで回転可能である。図３および図４に示すように、図示の実施形態では、本体２００には、その上部部分に制限孔２１１がさらに形成される。端子１００の制限部分１４０は制限孔２１１に受け取られ、端子１００のコンタクト部分１５０は制限孔２１１を通って本体２００の外側に突き出る。
【００４９】
本開示の例示的な実施形態では、図３および図４に示すように、制限孔２１１は、制限部分１４０の回転角，制限部分１４０に接続されたコンタクト部分１５０の回転角と、１対の弾性アーム１１０、１２０の捻れ角とを制限するように構成され、その結果、端子１００のコンタクト部分１５０は所定の角度範囲内で回転可能である。
【００５０】
図３および図４に示すように、図示の実施形態では、端子１００のコンタクト部分１５０は、０度より大きく９０度より小さい角度範囲内で回転可能である。
【００５１】
図５は、図３に示したコネクタの制限孔２１１および端子１００を示す上面図を示し、端子１００の制限部分１４０およびコンタクト部分１５０は、第１の角度位置にある。図６は、図３に示したコネクタの制限孔２１１および端子１００を示す上面図を示し、端子１００の制限部分１４０およびコンタクト部分１５０は、第１の角度位置から第２の角度位置まで軸周りで回転可能である。
【００５２】
図５および図６に示すように、図示の実施形態では、制限孔２１１は、断面が蝶結び形状である。
【００５３】
図５および図６に示すように、図示の実施形態では、制限孔２１１は、制限部分１４０の一方の側に第１の側壁２１１ａおよび第２の側壁２１１ｂを有し、制限部分１４０の他方の側に第３の側壁２１１ｃおよび第４の側壁２１１ｄを有する。第１の側壁２１１ａおよび第４の側壁２１１ｄは、対角線状に互いに反対側にあり、制限部分１４０を第１の角度位置に制限するように構成される。第２の側壁２１１ｂおよび第３の側壁２１１ｃは、対角線状に互いに反対側にあり、制限部分１４０を第２の角度位置に制限するように構成される。その結果、制限部分１４０は、第１の角度位置と第２の角度位置との間で回転可能である。
【００５４】
図５および図６に示すように、図示の実施形態では、第１の側壁２１１ａは第２の側壁２１１ｂに接続され、第３の側壁２１１ｃは第４の側壁２１１ｄに接続される。第１の側壁２１１ａと第２の側壁２１１ｂとの間に形成される角度βは、第３の側壁２１１ｃと第４の側壁２１１ｄとの間に形成される角度と等しい。角度βは、９０度より大きく１８０度より小さく設定される。
【００５５】
図４に示すように、図示の実施形態では、端子１００の固定部分１３０は本体２００内に固定される。端子１００の溶接部分１７０は本体２００の底部から露出される。
【００５６】
コネクタが、相手側コネクタ、例えば回路ボードに電気的に接続されている間、相手側コネクタの相手側端子、例えば、回路ボードの電気コンタクト部分は、端子１００のコンタクト部分１５０の端部（図１および図２の上端部）に長手方向Ｚの接触圧力Ｆを加え、端子１００の１対の弾性アーム１１０、１２０は、接触圧力Ｆに起因して受容室２１０において軸周りでさらに捻られる。その結果、端子１００の制限部分１４０およびコンタクト部分１５０は、１対の弾性アーム１１０、１２０と一緒に軸周りで回転する。このようにして、コンタクト部分１５０の端部は、相手側コネクタの相手側端子に対して回転し、相手側コネクタの相手側端子を擦り、相手側コネクタの相手側端子とコネクタの端子との間の信頼できる電気接触を達成する。
【００５７】
本開示の端子の構造は図１から図６に示したような実施形態に限定されず、本開示の端子は他の構造を有することができることが留意される。例えば、図７は、本開示の別の例示的な実施形態による端子１００’の概略斜視図を示す。
【００５８】
図７に示すように、図示の実施形態では、端子１００’は、第１のコンタクト部分１５０’と、第２のコンタクト部分１６０’と、１対の弾性アーム１１０’、１２０’とを含む。第１のコンタクト部分１５０’および第２のコンタクト部分１６０’は、それぞれ、端子１００’の両端部に配置される。第１のコンタクト部分１５０’は、１対の弾性アーム１１０’、１２０’の各々の一端（図面における上端部）に接続される。第２のコンタクト部分１６０’は、１対の弾性アーム１１０’、１２０’の各々の他端（図面における下端部）に接続される。図７に示した実施形態では、端子１００’の長手方向の接触圧力が第１のコンタクト部分１５０’および第２のコンタクト部分１６０’のいずれかまたは両方に加えられたとき、端子１００’の１対の弾性アーム１１０’、１２０’、ならびに第１のコンタクト部分１５０’および第２のコンタクト部分１６０’は、１対の弾性アーム１１０’、１２０’が捻られる捻れ方向に沿って軸周りでさらに回転可能である。
【００５９】
図７に示すように、図示の実施形態では、端子１００’は、さらに、第１の制限部分１３０’と第２の制限部分１４０’とを有する。１対の弾性アーム１１０’、１２０’は、それらの一端において第１の制限部分１３０’の一方の側に接続され、それらの他端において第２の制限部分１４０’の一方の側に接続される。第１のコンタクト部分１５０’は、第１の制限部分１３０’の他方の側に接続され、第２のコンタクト１６０’は、第２の制限部分１４０’の他方の側に接続される。
【００６０】
上述の実施形態は、例示であることが意図され、多くの変形が上述の実施形態に当業者によってなされ得、様々な実施形態に記載された様々な構造は、構成または原理において矛盾することなく互いに自由に組み合わせることができることを当業者なら理解すべきである。
【００６１】
以上、添付図面を参照して本開示について詳細に述べたが、添付図面における開示した実施形態は、本開示の好ましい実施形態を例として例示することが意図されており、本開示への限定として解釈されるべきでないことが理解されるべきである。
【００６２】
いくつかの例示的な実施形態を示し述べたが、様々な変更または修正が、本開示の原理および趣旨から逸脱することなくこれらの実施形態になされ得、本開示の範囲は、特許請求範囲およびその均等物によって定義されることが当業者なら理解するであろう。
【００６３】
「備える、含む（ｃｏｍｐｒｉｓｅ）」という単語は他の要素またはステップを排除せず、「ａ」または「ａｎ」という単語は複数を排除しないことに留意されたい、加えて、特許請求範囲におけるいかなる参照番号も本開示の範囲への限定として解釈されるべきでない。
【図１】
2018085335.tif 000003
【図２】
2018085335.tif 000004
【図３】
2018085335.tif 000005
【図４】
2018085335.tif 000006
【図５】
2018085335.tif 000007
【図６】
2018085335.tif 000008
【図７】
2018085335.tif 000009
【外国語明細書】
2018085335000001.pdf